(57)【要約】【課題】特許出願など書類の内容を入力する際に有益な情報が出力可能な出願書類作成支援システム。【解決手段】「明細書」、及び「請求の範囲」を有する特許出願書類であって、過去に作成したものにおける「明細書」と「請求の範囲」を含む例文ファイルを記録する記録部を備える。「明細書」、及び「請求の範囲」に関する情報を入力するために使用される入力部を備える。該情報を表示する表示部を備える。該情報に基づいて、所定のフォーマットに沿って出願書類を作成する制御部を備える。入力部は、「明細書」における記載項目、または「請求の範囲」の１つを選択するため、及びキーワードを入力するためにも使用される。制御部は、記録部に記録された例文ファイルのうち所定のフォルダに格納されたものの中から、選択された「明細書」における記載項目、または「請求の範囲」の１つの領域で、且つキーワードを含む段落または「請求項」を抽出し、表示する。【選択図】図４
2012048696.tif 000002
【特許請求の範囲】
【請求項１】
少なくとも「明細書」、及び「請求の範囲」を有する特許出願または実用新案登録出願の出願書類であって、過去に作成したものにおける「明細書」と「請求の範囲」の少なくとも一方を含む例文ファイルを記録する記録部と、
「明細書」、及び「請求の範囲」に関する情報を入力するために使用される入力部と、
前記情報を表示する表示部と
前記情報に基づいて、記載順序や段落番号を含む所定のフォーマットに沿って出願書類を作成する制御部とを備え、
前記入力部は、「明細書」における記載項目、または「請求の範囲」の少なくとも１つを選択するため、及びキーワードを入力するためにも使用され、
前記制御部は、前記記録部に記録された前記例文ファイルのうち所定のフォルダに格納されたものの中から、選択された「明細書」における記載項目、または「請求の範囲」の少なくとも１つの領域で、且つ前記キーワードを含む段落または「請求項」を抽出し、前記表示部に表示することを特徴とする出願書類作成支援システム。
【請求項２】
前記表示部は、前記制御部が抽出した前記キーワードを含む段落または「請求項」をコピー＆ペースト可能な状態で、「明細書」における記載項目、または「請求の範囲」に関する情報を入力する画面を表示することを特徴とする請求項１に記載の出願書類作成支援システム。
【請求項３】
特許出願または実用新案登録出願における、「明細書」、及び「請求の範囲」に関する情報を入力するために使用される入力部と、
前記情報を表示する表示部と、
前記情報に基づいて、記載順序や段落番号を含む所定のフォーマットに沿って出願書類を作成する制御部とを備え、
前記制御部は、前記入力部を使って入力された「請求の範囲」の「請求項」ごとに、特定の文字列の有無の判断を行い、前記判断の結果に基づいて、「請求項」の従属関係を図示する「請求項ツリー」を前記表示部に表示することを特徴とする出願書類作成支援システム。
【請求項４】
前記制御部は、前記「請求項ツリー」を、前記「請求項ツリー」における「請求項」を表示した領域に対応した「請求項」の内容をリンクして表示可能な状態で、前記表示部に表示することを特徴とする請求項３に記載の出願書類作成支援システム。
【請求項５】
特許出願または実用新案登録出願における、「明細書」、及び「請求の範囲」に関する情報を入力するために使用される入力部と、
前記情報を表示する表示部と、
前記情報に基づいて、記載順序や段落番号を含む所定のフォーマットに沿って出願書類を作成する制御部とを備え、
前記制御部は、「請求の範囲」における「請求項」のうちで、前記入力部を使って指定された上位「請求項」に記載された単語を抽出し、前記指定された上位「請求項」に従属する下位「請求項」に記載された単語を抽出し、前記上位「請求項」から抽出された単語と、前記下位「請求項」から抽出された単語とを、前記表示部の１画面上に表示することを特徴とする出願書類作成支援システム。
【請求項６】
前記制御部は、前記下位「請求項」から抽出された単語のうち、前記上位「請求項」から抽出単語と重複しないもの、若しくは重複するもののいずれかを強調表示することを特徴とする請求項５に記載の出願書類作成支援システム。
【請求項７】
前記制御部は、「請求の範囲」における「請求項」のうちで、前記入力部を使って指定されたチェック対象の「請求項」と、前記チェック対象の「請求項」と従属関係にある「請求項」において、使用された単語の中から、所定抽出単語を抽出し、抽出した所定抽出単語の後方に隣接する後方隣接単語と同じ語句が、前記所定抽出単語よりも前方で使用されたか否かを判断し、使用されていない場合には、前記表示部で警告表示し、
前記所定抽出単語は、前記後方隣接単語が、前記所定抽出単語の前方で既に一度以上記述されたことを示す語句であることを特徴とする請求項５に記載の出願書類作成支援システム。
【請求項８】
特許出願または実用新案登録出願の手続補正書における、「請求の範囲」に関する情報を入力するために使用される入力部と、
前記情報を表示する表示部と、
前記情報に基づいて、記載順序を含む所定のフォーマットに沿って手続補正書類を作成する制御部とを備え、
前記制御部は、「請求の範囲」における「請求項」のうちで、前記入力部を使って指定された上位「請求項」に記載された単語を抽出し、前記指定された上位「請求項」に従属する下位「請求項」に記載された単語を抽出し、前記上位「請求項」から抽出された単語と、前記下位「請求項」から抽出された単語とを、前記表示部の１画面上に表示し、
前記制御部は、「請求の範囲」における「請求項」のうちで、前記入力部を使って指定されたチェック対象の「請求項」と、前記チェック対象の「請求項」と従属関係にある「請求項」において、使用された単語の中から、所定抽出単語を抽出し、抽出した所定抽出単語の後方に隣接する後方隣接単語と同じ語句が、前記所定抽出単語よりも前方で使用されたか否かを判断し、使用されていない場合には、前記表示部で警告表示し、
前記所定抽出単語は、前記後方隣接単語が、前記所定抽出単語の前方で既に一度以上記述されたことを示す語句であることを特徴とする手続補正書類作成支援システム。
【請求項９】
特許出願または実用新案登録出願における、「明細書」、及び「請求の範囲」に関する情報を入力するために使用される入力部と、
前記情報を表示する表示部と、
前記情報に基づいて、記載順序や段落番号を含む所定のフォーマットに沿って出願書類を作成する制御部とを備え、
前記制御部は、「請求の範囲」における「請求項」のうちで、前記入力部を使って指定された「請求項」に記載された単語を抽出し、「明細書」における所定の記載項目の段落ごとに、抽出された単語が使用された割合を算出し、抽出された単語と段落ごとに算出された割合を、前記表示部に表示することを特徴とする出願書類作成支援システム。
【請求項１０】
前記制御部は、前記割合の算出を、前記入力部を使って指定された複数の段落に対して行うことを特徴とする請求項９に記載の出願書類作成システム。
【請求項１１】
前記制御部は、前記段落ごとに算出された割合を、前記段落ごとに算出された割合を表示した領域に対応した段落の内容をリンクして表示可能な状態で、前記表示部に表示することを特徴とする請求項９に記載の出願書類作成支援システム。
【請求項１２】
特許出願または実用新案登録出願の出願書類における「明細書」、「請求の範囲」に関する情報が入力されると、前記情報に基づいて、記載順序や段落番号を含む所定のフォーマットに沿って出願書類を作成する出願書類作成支援用のコンピュータプログラムであって、
少なくとも「明細書」、及び「請求の範囲」を有する特許出願または実用新案登録出願の出願書類であって、過去に作成したものにおける「明細書」と「請求の範囲」の少なくとも一方を含む例文ファイルのうち所定のフォルダに格納されたものの中から、出願書類における「明細書」の記載項目、又は「請求の範囲」の少なくとも１つの領域で使用者により指定されたもの、及び使用者により指定されたキーワードを含む段落または「請求項」を抽出する第１抽出工程と、
抽出された段落または「請求項」を表示部に表示する第１表示工程とを実行することを特徴とする出願書類作成支援用のコンピュータプログラム。
【請求項１３】
特許出願または実用新案登録出願の出願書類における「明細書」、「請求の範囲」に関する情報が入力されると、前記情報に基づいて、記載順序や段落番号を含む所定のフォーマットに沿って出願書類を作成する出願書類作成支援用のコンピュータプログラムであって、
「請求の範囲」の「請求項」ごとに、特定の文字列の有無の判断を行う第１判断工程と、
前記判断の結果に基づいて、「請求項」の従属関係を図示する請求項ツリーを表示する第２表示工程とを実行することと特徴とする出願書類作成支援用のコンピュータプログラム。
【請求項１４】
特許出願または実用新案登録出願の出願書類における「明細書」、「請求の範囲」に関する情報が入力されると、前記情報に基づいて、記載順序や段落番号を含む所定のフォーマットに沿って出願書類を作成する出願書類作成支援用のコンピュータプログラムであって、
「請求の範囲」における「請求項」のうちで、使用者により指定された上位「請求項」に記載された単語を抽出する第２抽出工程と、
前記指定された上位「請求項」に従属する下位「請求項」に記載された単語を抽出する第３抽出工程と、
前記上位「請求項」から抽出された単語と、前記下位「請求項」から抽出された単語とを、１画面上に表示する第３表示工程とを実行することを特徴とする出願書類作成支援用のコンピュータプログラム。
【請求項１５】
特許出願または実用新案登録出願の出願書類における「明細書」、「請求の範囲」に関する情報が入力されると、前記情報に基づいて、記載順序や段落番号を含む所定のフォーマットに沿って出願書類を作成する出願書類作成支援用のコンピュータプログラムであって、
「請求の範囲」における「請求項」のうちで、使用者により指定された「請求項」に記載された単語を抽出する第４抽出工程と、
「明細書」における所定の記載項目の段落ごとに、抽出された単語が使用された割合を算出する算出工程と、
抽出された単語と段落ごとに算出された割合を、表示する第４表示工程とを実行することを特徴とする出願書類作成支援用のコンピュータプログラム。
【請求項１６】
複数の記載項目が決まっている書類であって、過去に作成した例文ファイルを記録する記録部と、
記載項目の内容に関する情報を入力するために使用される入力部と、
前記情報を表示する表示部と、
前記情報に基づいて、記載順序を含む所定のフォーマットに沿って前記書類を作成する制御部とを備え、
前記入力部は、複数の記載項目の中から１以上の記載項目を選択するため、及びキーワードを入力するためにも使用され、
前記制御部は、前記記録部に記録された前記例文ファイルのうち所定のフォルダに格納されたものの中かから、選択された記載項目の中で、且つ前記キーワードを含む領域を抽出し、前記表示部に表示することを特徴とする書類作成支援システム。
【請求項１７】
特許出願または実用新案登録出願における、「明細書」に関する情報を入力するために使用される入力部と、
前記情報に基づいて、記載順序や段落番号を含む所定のフォーマットに沿って出願書類を作成する制御部とを備え、
前記制御部は、「明細書」における「符号の説明」を除く領域に記載された符号と、前記符号の前方向に隣接する単語または文字列とを抽出し、抽出された単語または文字列と抽出された単語または文字列に対応する符号との組みあわせを、「明細書」の「符号の説明」に記載する内容を編集する画面上に表示することを特徴とする出願書類作成支援システム。
【請求項１８】
前記入力部は、「明細書」における「符号の説明」を除く領域から文字列を抽出する抽出条件として、文字列に含まれるひらがなの文字数や、文字列に含まれるひらがなの領域の数を設定するためにも使用され、
前記制御部は、前記抽出条件を考慮して、「明細書」における「符号の説明」を除く領域に記載された符号と、前記符号の前方向に隣接する単語または文字列とを抽出することを特徴とする請求項１７に記載の出願書類作成支援システム。
【請求項１９】
前記入力部は、特許出願または実用新案登録出願における、「図面」に関する情報を入力するためにも使用され、
前記制御部は、「図面」に記載された符号を抽出し、「図面」から抽出された符号が、「明細書」における「符号の説明」を除く領域から抽出された符号と一致するかを判断し、一致する符号については、「図面」や「明細書」における「符号の説明」を除く領域から抽出された単語または文字列と抽出された単語または文字列に対応する符号との組みあわせを、一致しない符号については、「図面」から抽出された符号を、「明細書」の「符号の説明」に記載する内容を編集する画面上に表示することを特徴とする請求項１７に記載の出願書類作成支援システム。
【請求項２０】
特許出願または実用新案登録出願の出願書類における「明細書」に関する情報が入力されると、前記情報に基づいて、記載順序や段落番号を含む所定のフォーマットに沿って出願書類を作成する出願書類作成支援用のコンピュータプログラムであって、
「明細書」における「符号の説明」を除く領域に記載された符号と、前記符号の前方向に隣接する単語または文字列とを抽出する第５抽出工程と、
前記第５抽出工程で抽出された単語または文字列と、前記第５抽出工程で抽出された単語または文字列に対応する符号との組みあわせを、「明細書」の「符号の説明」に記載する内容を編集する画面上に表示する第５表示工程とを実行することを特徴とする出願書類作成支援用のコンピュータプログラム。
【請求項２１】
特許出願または実用新案登録出願における、「明細書」や「図面」に関する情報を入力するために使用される入力部と、
前記情報に基づいて、記載順序や段落番号を含む所定のフォーマットに沿って出願書類を作成する制御部とを備え、
前記制御部は、「図面」に記載された符号を抽出し、抽出された符号を、「明細書」の「符号の説明」に記載する内容を編集する画面上に表示することを特徴とする出願書類作成支援システム。
【請求項２２】
前記制御部は、「明細書」における「符号の説明」を除く領域に記載された符号と、「明細書」における「符号の説明」を除く領域に記載された符号の前方向に隣接する単語または文字列とを抽出し、「図面」から抽出された符号が、「明細書」における「符号の説明」を除く領域から抽出された符号と一致するかを判断し、一致する符号については、「図面」や「明細書」における「符号の説明」を除く領域から抽出された単語または文字列と抽出された単語または文字列に対応する符号との組みあわせを、一致しない符号については、「図面」から抽出された符号を、「明細書」の「符号の説明」に記載する内容を編集する画面上に表示することを特徴とする請求項２１に記載の出願書類作成支援システム。
【請求項２３】
特許出願または実用新案登録出願の出願書類における「明細書」や「図面」に関する情報が入力されると、前記情報に基づいて、記載順序や段落番号を含む所定のフォーマットに沿って出願書類を作成する出願書類作成支援用のコンピュータプログラムであって、
「図面」に記載された符号を抽出する第６抽出工程と、
前記第６抽出工程で抽出された符号を、「明細書」の「符号の説明」に記載する内容を編集する画面上に表示する第６表示工程とを実行することを特徴とする出願書類作成支援用のコンピュータプログラム。
【請求項２４】
「明細書」における「符号の説明」を除く領域に記載された符号と、「明細書」における「符号の説明」を除く領域に記載された符号の前方向に隣接する単語または文字列とを抽出する第７抽出工程と、
「図面」から抽出された符号が、「明細書」における「符号の説明」を除く領域から抽出された符号と一致するかを判断する第２判断工程と、
一致する符号については、「図面」や「明細書」における「符号の説明」を除く領域から抽出された単語または文字列と抽出された単語または文字列に対応する符号との組みあわせを、一致しない符号については、「図面」から抽出された符号を、「明細書」の「符号の説明」に記載する内容を編集する画面上に表示する第７表示工程とをさらに実行することを特徴とする請求項２３に記載の出願書類作成支援用のコンピュータプログラム。
【請求項２５】
特許出願または実用新案登録出願の出願書類における「明細書」、「請求の範囲」に関する情報が入力されると、前記情報に基づいて、記載順序や段落番号を含む所定のフォーマットに沿って出願書類を作成する出願書類作成支援用のコンピュータプログラムであって、
使用者により指定されたチェック対象の「請求項」と、前記チェック対象の「請求項」と従属関係にある「請求項」において、使用された単語の中から、所定抽出単語を抽出する第８抽出工程と、
抽出した所定抽出単語の後方に隣接する後方隣接単語と同じ語句が、前記所定抽出単語よりも前方で使用されたか否かを判断する第３判断工程と、
前記第３判断工程において使用されていないと判断した場合には、警告表示する第８表示工程とを実行し、
前記所定抽出単語は、前記後方隣接単語が、前記所定抽出単語の前方で既に一度以上記述されたことを示す語句であることを特徴とする出願書類作成支援用のコンピュータプログラム。
【発明の詳細な説明】
【技術分野】
【０００１】
本発明は、特許出願などの書類作成支援システムに関する。
【背景技術】
【０００２】
従来、特許文献１のように、特許出願または実用新案登録出願の出願書類作成支援システムが提案されている。該システムを使用すると、使用者が、表示画面上の所定の領域に「請求の範囲」などの具体的な内容を入力することにより、記載順序や段落番号を含む所定のフォーマットに沿った出願書類を作成することが可能になる。
【先行技術文献】
【特許文献】
【０００３】
【特許文献１】特開２００２−９９５２５号公報
【発明の概要】
【発明が解決しようとする課題】
【０００４】
しかし、「請求の範囲」などの具体的な内容は、使用者が入力する必要があるし、「請求項」ごとの従属関係や、「明細書」との関連性など、具体的な内容を入力する際に有益な情報の提供が十分でなかった。
【０００５】
したがって本発明の目的は、特許出願などの書類の具体的な内容を入力する際に参考になる有益な情報が出力可能な書類作成支援システムを提供することである。
【課題を解決するための手段】
【０００６】
本発明に係る出願書類作成支援システムは、少なくとも「明細書」、及び「請求の範囲」を有する特許出願または実用新案登録出願の出願書類であって、過去に作成したものにおける「明細書」と「請求の範囲」の少なくとも一方を含む例文ファイルを記録する記録部と、「明細書」、及び「請求の範囲」に関する情報を入力するために使用される入力部と、該情報を表示する表示部と、該情報に基づいて、記載順序や段落番号を含む所定のフォーマットに沿って出願書類を作成する制御部とを備え、入力部は、「明細書」における記載項目、または「請求の範囲」の少なくとも１つを選択するため、及びキーワードを入力するためにも使用され、制御部は、記録部に記録された例文ファイルのうち所定のフォルダに格納されたものの中から、選択された「明細書」における記載項目、または「請求の範囲」の少なくとも１つの領域で、且つキーワードを含む段落または「請求項」を抽出し、表示部に表示する。
【０００７】
予め記録部の所定のフォルダに記録しておいた例文ファイルの中から、出願書類における記載項目の具体的な内容を作成するのに参考になる段落（または「請求項」）を、キーワードなど所定の検索条件を使って探し出し、特許出願または実用新案登録出願の出願書類の具体的な内容を入力する際に参考になる有益な情報として、探し出した段落（または「請求項」）を引用して「明細書」などの具体的な内容を作成することが可能になる。
【０００８】
好ましくは、表示部は、制御部が抽出したキーワードを含む段落または「請求項」をコピー＆ペースト可能な状態で、「明細書」における記載項目、または「請求の範囲」に関する情報を入力する画面を表示する。
【０００９】
本発明に係る出願書類作成支援システムは、特許出願または実用新案登録出願における、「明細書」、及び「請求の範囲」に関する情報を入力するために使用される入力部と、該情報を表示する表示部と、該情報に基づいて、記載順序や段落番号を含む所定のフォーマットに沿って出願書類を作成する制御部とを備え、制御部は、入力部を使って入力された「請求の範囲」の「請求項」ごとに、特定の文字列の有無の判断を行い、判断の結果に基づいて、「請求項」の従属関係を図示する「請求項ツリー」を表示部に表示する。
【００１０】
これにより、使用者は、特許出願または実用新案登録出願の出願書類の具体的な内容を入力する際に参考になる有益な情報として、「請求の範囲」に記載した「請求項」の従属関係を、視覚的に容易に認識することが可能になる。
【００１１】
好ましくは、制御部は、「請求項ツリー」を、「請求項ツリー」における「請求項」を表示した領域に対応した「請求項」の内容をリンクして表示可能な状態で、表示部に表示する。
【００１２】
本発明に係る出願書類作成支援システムは、特許出願または実用新案登録出願における、「明細書」、及び「請求の範囲」に関する情報を入力するために使用される入力部と、該情報を表示する表示部と、該情報に基づいて、記載順序や段落番号を含む所定のフォーマットに沿って出願書類を作成する制御部とを備え、制御部は、「請求の範囲」における「請求項」のうちで、入力部を使って指定された上位「請求項」に記載された単語を抽出し、指定された上位「請求項」に従属する下位「請求項」に記載された単語を抽出し、上位「請求項」から抽出された単語と、下位「請求項」から抽出された単語とを、表示部の１画面上に表示する。
【００１３】
これにより、使用者は、特許出願または実用新案登録出願の出願書類の具体的な内容を入力する際に参考になる有益な情報として、下位の「請求項」が上位の「請求項」に対して正しい従属関係になっているか否かを視覚的に容易に認識することが可能になる。
【００１４】
好ましくは、制御部は、下位「請求項」から抽出された単語のうち、上位「請求項」から抽出単語と重複しないもの、若しくは重複するもののいずれかを強調表示する。
【００１５】
また、好ましくは、制御部は、「請求の範囲」における「請求項」のうちで、入力部を使って指定されたチェック対象の「請求項」と、チェック対象の「請求項」と従属関係にある「請求項」において、使用された単語の中から、所定抽出単語を抽出し、抽出した所定抽出単語の後方に隣接する後方隣接単語と同じ語句が、所定抽出単語よりも前方で使用されたか否かを判断し、使用されていない場合には、表示部で警告表示し、所定抽出単語は、後方隣接単語が、所定抽出単語の前方で既に一度以上記述されたことを示す語句である。
【００１６】
使用者は、警告表示された単語（所定抽出単語、後方隣接単語）を確認することにより、所定抽出単語の使い方に誤りがないかどうかを容易に判断することが可能になる。
【００１７】
本発明に係る手続補正書類作成支援システムは、特許出願または実用新案登録出願の手続補正書における、「請求の範囲」に関する情報を入力するために使用される入力部と、情報を表示する表示部と、情報に基づいて、記載順序を含む所定のフォーマットに沿って手続補正書類を作成する制御部とを備え、制御部は、「請求の範囲」における「請求項」のうちで、入力部を使って指定された上位「請求項」に記載された単語を抽出し、指定された上位「請求項」に従属する下位「請求項」に記載された単語を抽出し、上位「請求項」から抽出された単語と、下位「請求項」から抽出された単語とを、表示部の１画面上に表示し、制御部は、「請求の範囲」における「請求項」のうちで、入力部を使って指定されたチェック対象の「請求項」と、チェック対象の「請求項」と従属関係にある「請求項」において、使用された単語の中から、所定抽出単語を抽出し、抽出した所定抽出単語の後方に隣接する後方隣接単語と同じ語句が、所定抽出単語よりも前方で使用されたか否かを判断し、使用されていない場合には、表示部で警告表示し、所定抽出単語は、後方隣接単語が、所定抽出単語の前方で既に一度以上記述されたことを示す語句である。
【００１８】
本発明に係る出願書類作成支援システムは、特許出願または実用新案登録出願における、「明細書」、及び「請求の範囲」に関する情報を入力するために使用される入力部と、該情報を表示する表示部と、該情報に基づいて、記載順序や段落番号を含む所定のフォーマットに沿って出願書類を作成する制御部とを備え、制御部は、「請求の範囲」における「請求項」のうちで、入力部を使って指定された「請求項」に記載された単語を抽出し、「明細書」における所定の記載項目の段落ごとに、抽出された単語が使用された割合を算出し、抽出された単語と段落ごとに算出された割合を、表示部に表示する。
【００１９】
これにより、使用者は、特許出願または実用新案登録出願の出願書類の具体的な内容を入力する際に参考になる有益な情報として、「請求項」ごとに、「請求項」に使用された単語の、「発明を実施するための形態」の段落ごとの合致率を見て、「発明を実施するための形態」に該「請求項」の内容が十分に記載されているか否かを視覚的に容易に認識することが可能になる。
【００２０】
好ましくは、制御部は、該割合の算出を、入力部を使って指定された複数の段落に対して行う。
【００２１】
また、好ましくは、制御部は、段落ごとに算出された割合を、段落ごとに算出された割合を表示した領域に対応した段落の内容をリンクして表示可能な状態で、表示部に表示する。
【００２２】
本発明に係る出願書類作成支援用のコンピュータプログラムは、特許出願または実用新案登録出願の出願書類における「明細書」、「請求の範囲」に関する情報が入力されると、該情報に基づいて、記載順序や段落番号を含む所定のフォーマットに沿って出願書類を作成する出願書類作成支援用のコンピュータプログラムであって、少なくとも「明細書」、及び「請求の範囲」を有する特許出願または実用新案登録出願の出願書類であって、過去に作成したものにおける「明細書」と「請求の範囲」の少なくとも一方を含む例文ファイルのうち所定のフォルダに格納されたものの中から、出願書類における「明細書」の記載項目、又は「請求の範囲」の少なくとも１つの領域で使用者により指定されたもの、及び使用者により指定されたキーワードを含む段落または「請求項」を抽出する第１抽出工程と、抽出された段落または「請求項」を表示部に表示する第１表示工程とを実行する。
【００２３】
本発明に係る出願書類作成支援用のコンピュータプログラムは、特許出願または実用新案登録出願の出願書類における「明細書」、「請求の範囲」に関する情報が入力されると、該情報に基づいて、記載順序や段落番号を含む所定のフォーマットに沿って出願書類を作成する出願書類作成支援用のコンピュータプログラムであって、「請求の範囲」の「請求項」ごとに、特定の文字列の有無の判断を行う第１判断工程と、判断の結果に基づいて、「請求項」の従属関係を図示する請求項ツリーを表示する第２表示工程とを実行する。
【００２４】
本発明に係る出願書類作成支援用のコンピュータプログラムは、特許出願または実用新案登録出願の出願書類における「明細書」、「請求の範囲」に関する情報が入力されると、該情報に基づいて、記載順序や段落番号を含む所定のフォーマットに沿って出願書類を作成する出願書類作成支援用のコンピュータプログラムであって、「請求の範囲」における「請求項」のうちで、使用者により指定された上位「請求項」に記載された単語を抽出する第２抽出工程と、指定された上位「請求項」に従属する下位「請求項」に記載された単語を抽出する第３抽出工程と、上位「請求項」から抽出された単語と、下位「請求項」から抽出された単語とを、１画面上に表示する第３表示工程とを実行する。
【００２５】
本発明に係る出願書類作成支援用のコンピュータプログラムは、特許出願または実用新案登録出願の出願書類における「明細書」、「請求の範囲」に関する情報が入力されると、該情報に基づいて、記載順序や段落番号を含む所定のフォーマットに沿って出願書類を作成する出願書類作成支援用のコンピュータプログラムであって、「請求の範囲」における「請求項」のうちで、使用者により指定された「請求項」に記載された単語を抽出する第４抽出工程と、「明細書」における所定の記載項目の段落ごとに、抽出された単語が使用された割合を算出する算出工程と、抽出された単語と段落ごとに算出された割合を、表示する第４表示工程とを実行する。
【００２６】
本発明に係る書類作成支援システムは、複数の記載項目が決まっている書類であって、過去に作成した例文ファイルを記録する記録部と、記載項目の内容に関する情報を入力するために使用される入力部と、該情報を表示する表示部と、該情報に基づいて、記載順序を含む所定のフォーマットに沿って該書類を作成する制御部とを備え、入力部は、複数の記載項目の中から１以上の記載項目を選択するため、及びキーワードを入力するためにも使用され、制御部は、記録部に記録された例文ファイルのうち所定のフォルダに格納されたものの中かから、選択された記載項目の中で、且つキーワードを含む領域を抽出し、表示部に表示する。
【００２７】
予め記録部の所定のフォルダに記録しておいた例文ファイルの中から、書類における記載項目の具体的な内容を作成するのに参考になる領域（段落など）を、キーワードなど所定の検索条件を使って探し出し、該書類の具体的な内容を入力する際に参考になる有益な情報として、探し出した領域を引用して具体的な内容を作成することが可能になる。ここで言う書類としては、特許出願や実用新案登録出願の出願書類だけでなく、裁判所に提出する書類（訴状、答弁書など）、及び学術論文など、複数の記載項目が決まっているものが挙げられる。
【００２８】
本発明に係る出願書類作成支援システムは、特許出願または実用新案登録出願における、「明細書」に関する情報を入力するために使用される入力部と、該情報に基づいて、記載順序や段落番号を含む所定のフォーマットに沿って出願書類を作成する制御部とを備え、制御部は、「明細書」における「符号の説明」を除く領域に記載された符号と、該符号の前方向に隣接する単語または文字列とを抽出し、抽出された単語または文字列と抽出された単語または文字列に対応する符号との組みあわせを、「明細書」の「符号の説明」に記載する内容を編集する画面上に表示する。
【００２９】
「明細書」における「符号の説明」欄は、「明細書」における「符号の説明」をのぞく領域で使用される部材の番号（符号）と、該部材の名称（符号に対応し、符号の前方に隣接する単語または文字列）との組みあわせを一覧にして表示し、発明を理解するのに役立つ領域である。かかる「符号の説明」欄を作成する際に、「明細書」に記載された内容に基づいて、「符号の説明」欄に記載すべき候補として符号と単語または文字列の組みあわせを列挙し、「符号の説明」の内容を記入する際の参考にすることが可能になる。
【００３０】
「明細書」から符号や単語または文字列が抽出された場合、不必要な符号や単語または文字列を含んだり、必要な符号や単語または文字列を抽出出来なかったりすることが考えられる。抽出結果が編集可能な状態で表示され、表示された抽出結果を編集しながら、「符号の説明」欄に記載すべき事項を決定することが出来るため、「符号の説明」欄の記載を正しく簡単に行うことが可能になる。
【００３１】
好ましくは、入力部は、「明細書」における「符号の説明」を除く領域から文字列を抽出する抽出条件として、文字列に含まれるひらがなの文字数や、文字列に含まれるひらがなの領域の数を設定するためにも使用され、制御部は、該抽出条件を考慮して、「明細書」における「符号の説明」を除く領域に記載された符号と、該符号の前方向に隣接する単語または文字列とを抽出する。
【００３２】
符号の前方に隣接する単語または文字列の抽出については、ひらがなを含める条件を設定出来るため、「明細書」の作成者の傾向に合わせて、編集作業が少なくて済むような符号と単語または文字列の組みあわせを抽出することが可能になる。
【００３３】
また、好ましくは、入力部は、特許出願または実用新案登録出願における、「図面」に関する情報を入力するためにも使用され、制御部は、「図面」に記載された符号を抽出し、「図面」から抽出された符号が、「明細書」における「符号の説明」を除く領域から抽出された符号と一致するかを判断し、一致する符号については、「図面」や「明細書」における「符号の説明」を除く領域から抽出された単語または文字列と抽出された単語または文字列に対応する符号との組みあわせを、一致しない符号については、「図面」から抽出された符号を、「明細書」の「符号の説明」に記載する内容を編集する画面上に表示する。
【００３４】
これにより、「符号の説明」欄を作成する際に、「図面」と「明細書」に記載された内容に基づいて、「符号の説明」欄に記載すべき候補として符号と単語または文字列を列挙し、「符号の説明」の内容を記入する際の参考にすることが可能になる。また、列挙された内容を見ることにより、「図面」に記載された事項（符号）と、「明細書」に記載された事項「符号と単語または文字列」とが一致しているか否かを、認識することが出来、「図面」と「明細書」の内容を確認する手助けにすることが可能になる。
【００３５】
本発明に係る出願書類作成支援用のコンピュータプログラムは、特許出願または実用新案登録出願の出願書類における「明細書」に関する情報が入力されると、該情報に基づいて、記載順序や段落番号を含む所定のフォーマットに沿って出願書類を作成する出願書類作成支援用のコンピュータプログラムであって、「明細書」における「符号の説明」を除く領域に記載された符号と、該符号の前方向に隣接する単語または文字列とを抽出する第５抽出工程と、第５抽出工程で抽出された単語または文字列と、第５抽出工程で抽出された単語または文字列に対応する符号との組みあわせを、「明細書」の「符号の説明」に記載する内容を編集する画面上に表示する第５表示工程とを実行する。
【００３６】
本発明に係る出願書類作成支援システムは、特許出願または実用新案登録出願における、「明細書」や「図面」に関する情報を入力するために使用される入力部と、該情報に基づいて、記載順序や段落番号を含む所定のフォーマットに沿って出願書類を作成する制御部とを備え、制御部は、「図面」に記載された符号を抽出し、抽出された符号を、「明細書」の「符号の説明」に記載する内容を編集する画面上に表示する。
【００３７】
これにより、「符号の説明」欄を作成する際に、「図面」に記載された内容に基づいて、「符号の説明」欄に記載すべき候補として符号を列挙し、「符号の説明」の内容を記入する際の参考にすることが可能になる。ただし、この時点では、符号だけしか挙げられておらず、単語または文字列との関係が明確にされていない。
【００３８】
好ましくは、制御部は、「明細書」における「符号の説明」を除く領域に記載された符号と、「明細書」における「符号の説明」を除く領域に記載された符号の前方向に隣接する単語または文字列とを抽出し、「図面」から抽出された符号が、「明細書」における「符号の説明」を除く領域から抽出された符号と一致するかを判断し、一致する符号については、「図面」や「明細書」における「符号の説明」を除く領域から抽出された単語または文字列と抽出された単語または文字列に対応する符号との組みあわせを、一致しない符号については、「図面」から抽出された符号を、「明細書」の「符号の説明」に記載する内容を編集する画面上に表示する。
【００３９】
これにより、「符号の説明」欄を作成する際に、「図面」と「明細書」に記載された内容に基づいて、「符号の説明」欄に記載すべき候補として符号と単語または文字列を列挙し、「符号の説明」の内容を記入する際の参考にすることが可能になる。また、列挙された内容を見ることにより、「図面」に記載された事項（符号）と、「明細書」に記載された事項「符号と単語または文字列」とが一致しているか否かを、認識することが出来、「図面」と「明細書」の内容を確認する手助けにすることが可能になる。
【００４０】
本発明に係る出願書類作成支援用のコンピュータプログラムは、特許出願または実用新案登録出願の出願書類における「明細書」や「図面」に関する情報が入力されると、該情報に基づいて、記載順序や段落番号を含む所定のフォーマットに沿って出願書類を作成する出願書類作成支援用のコンピュータプログラムであって、「図面」に記載された符号を抽出する第６抽出工程と、第６抽出工程で抽出された符号を、「明細書」の「符号の説明」に記載する内容を編集する画面上に表示する第６表示工程とを実行する。
【００４１】
好ましくは、「明細書」における「符号の説明」を除く領域に記載された符号と、「明細書」における「符号の説明」を除く領域に記載された符号の前方向に隣接する単語または文字列とを抽出する第７抽出工程と、「図面」から抽出された符号が、「明細書」における「符号の説明」を除く領域から抽出された符号と一致するかを判断する第２判断工程と、一致する符号については、「図面」や「明細書」における「符号の説明」を除く領域から抽出された単語または文字列と抽出された単語または文字列に対応する符号との組みあわせを、一致しない符号については、「図面」から抽出された符号を、「明細書」の「符号の説明」に記載する内容を編集する画面上に表示する第７表示工程とをさらに実行する。
【００４２】
本発明に係る出願書類作成支援用のコンピュータプログラムは、特許出願または実用新案登録出願の出願書類における「明細書」、「請求の範囲」に関する情報が入力されると、該情報に基づいて、記載順序や段落番号を含む所定のフォーマットに沿って出願書類を作成する出願書類作成支援用のコンピュータプログラムであって、使用者により指定されたチェック対象の「請求項」と、チェック対象の「請求項」と従属関係にある「請求項」において、使用された単語の中から、所定抽出単語を抽出する第８抽出工程と、抽出した所定抽出単語の後方に隣接する後方隣接単語と同じ語句が、所定抽出単語よりも前方で使用されたか否かを判断する第３判断工程と、第３判断工程において使用されていないと判断した場合には、警告表示する第８表示工程とを実行し、所定抽出単語は、後方隣接単語が、所定抽出単語の前方で既に一度以上記述されたことを示す語句である。
【発明の効果】
【００４３】
以上のように本発明によれば、特許出願などの書類の具体的な内容を入力する際に参考になる有益な情報が出力可能な書類作成支援システムを提供することができる。
【図面の簡単な説明】
【００４４】
【図１】本実施形態における出願書類作成システムの構成図である。
【図２】第１画面（メイン画面）の構成図である。
【図３】第２画面（「発明が解決しようとする課題」の内容記入画面）の構成図である。
【図４】第３画面（「発明が解決しようとする課題」の例文検索画面）の構成図である。
【図５】第４画面（「請求の範囲」の内容記入画面）の構成図である。
【図６】第５画面（「請求項ツリー」画面）の構成図である。
【図７】第６画面（「請求項の従属関係チェック」画面）の構成図である。
【図８】第７画面（「実施形態との合致チェック」画面）の構成図である。
【図９】第８画面（「実施形態との合致チェック」後の「発明を実施するための形態」の内容記入画面）の構成図である。
【図１０】第９画面（「図面／図面の簡単な説明」の内容記入画面）の構成図である。
【図１１】第１０画面（「符号の説明」の内容記入画面）の構成図である。
【図１２】第１１画面（「符号の説明」に使用する符号抽出設定画面）の構成図である。
【図１３】第１２画面（「符号の説明」の符号抽出結果画面）の構成図で、「明細書」の中から、符号と該符号の前方に隣接した単語を抽出した結果を示すものである。
【図１４】第１２画面（「符号の説明」の符号抽出結果画面）の構成図で、「明細書」の中から、符号と該符号の前方に隣接した単語または文字列を抽出した結果を示すものである。
【図１５】第１２画面（「符号の説明」の符号抽出結果画面）の構成図で、「図面」の中から、符号を抽出した結果を示すものである。
【図１６】第１２画面（「符号の説明」の符号抽出結果画面）の構成図で、「図面」の中から抽出した符号と、「明細書」の中から抽出した符号と該符号の前方に隣接した単語または文字列との組みあわせとをマッチングさせた結果を示すものである。
【図１７】第６１領域と第６２領域に後方隣接単語などが警告表示された状態の第６画面を示す図である。
【図１８】第６５領域と第６６領域に後方隣接単語などが警告表示された状態の第６画面を示す図である。
【図１９】第４３領域に後方隣接単語が強調表示された状態の第４画面を示す図である。
【図２０】マルチ従属の請求項がある場合の第５画面（「請求項ツリー」画面）の構成図である。
【発明を実施するための形態】
【００４５】
以下、本実施形態について、図を用いて説明する。本実施形態における特許出願または実用新案登録出願の出願書類の作成を支援する出願書類作成支援システムは、入力部１、制御部２、記録部３、表示部４、及びプリンタ５を備える（図１参照）。
【００４６】
入力部１は、キーボードやマウスなどの情報を入力する装置である。制御部２は、ＣＰＵなどの演算装置である。記録部３には、入力部１を使った所定の操作に基づいて第１〜第８抽出工程、第１〜第８表示工程、第１〜第３判断工程、算出工程などを実行する出願書類作成支援プログラムがインストールされている。また、記録部３は、該出願書類作成支援プログラムを使って作成された出願書類ファイルや、該出願書類作成支援プログラムで使用する例文ファイルを所定のフォルダに記録する。例文ファイルは、過去に作成した特許出願または実用新案登録出願の出願書類ファイルであり、出願書類における「明細書」と「請求の範囲（特許請求の範囲、または実用新案登録請求の範囲）」の少なくとも一方の内容を含む。例文ファイルは、後述するように、出願書類における記載項目の具体的内容を作成する時の例文として参照するために使用される。
【００４７】
なお、出願書類作成支援プログラムなどがインストールされる記録部３は、ネットワークを介して、制御部２と通信可能なサーバ（アプリケーションサービスプロバイダ）に設けられる形態であってもよい。
【００４８】
制御部２は、使用者による入力部１を介した指示に基づいて、記録部３にインストールされた出願書類作成支援プログラムを起動し、表示部４に所定の表示画面を表示する。図２〜図２０（第１〜第１２画面Ｐ１〜Ｐ１２）は、表示部４に表示される所定の表示画面の一部である。使用者が、表示部４に表示された所定の表示画面を見ながら、入力部１を使って、該表示画面上の所定の領域に出願書類の記載項目に関する情報を入力することにより、制御部２が、かかる情報に基づいて、記載順序や段落番号を含む所定のフォーマットに沿った出願書類（「願書」、「明細書」、「請求の範囲」、「要約書」、「図面」）を完成させ、表示部４で表示可能な状態、及びプリンタ５で印刷可能な状態にする。なお、所定の表示画面の周囲には、ファイルの上書き保存などの所定のコマンド入力のための操作領域が設けられる（不図示）。
【００４９】
具体的には、本実施形態における出願書類作成支援プログラムが起動時すると、第１画面（メイン画面）Ｐ１が、表示部４に表示される（図２参照）。第１画面Ｐ１は、第１〜第１２領域Ａ１〜Ａ１２を有する。
【００５０】
入力部１を使って第１領域Ａ１がクリックされると、制御部２は、出願書類の１つである「願書（特許願または実用新案登録願）」の具体的な内容や、出願書類の１つである「明細書」における「発明の名称」を記入するための内容記入画面を表示し、第１画面Ｐ１を非アクティブにする（不図示）。入力部１を使って第２領域Ａ２がクリックされると、制御部２は、出願書類の１つである「図面」の画像データの取り込みや、出願書類の１つである「明細書」における「図面の簡単な説明」の具体的な内容を記入するための画像取り込み及び内容記入画面（第９画面Ｐ９）を表示し、第１画面Ｐ１を非アクティブにする（図１０参照）。入力部１を使って第３領域Ａ３がクリックされると、制御部２は、出願書類の１つである「明細書」における「符号の説明」の具体的な内容を記入するための内容記入画面（第１０画面Ｐ１０）を表示し、第１画面Ｐ１を非アクティブにする（図１１参照）。
【００５１】
入力部１を使って第４領域Ａ４がクリックされると、制御部２は、出願書類の１つである「明細書」における「表」、「化学式」、「数式」の画像データの取り込みを行うための画像取り込み画面を表示し、第１画面Ｐ１を非アクティブにする（不図示）。入力部１を使って第５領域Ａ５がクリックされると、制御部２は、出願書類の１つである「明細書」における「技術分野」の具体的な内容を記入するための内容記入画面を表示し、第１画面Ｐ１を非アクティブにする（不図示）。入力部１を使って第６領域Ａ６がクリックされると、制御部２は、出願書類の１つである「明細書」における「背景技術」の具体的な内容を記入するための内容記入画面を表示し、第１画面Ｐ１を非アクティブにする（不図示）。
【００５２】
入力部１を使って第７領域Ａ７がクリックされると、制御部２は、出願書類の１つである「明細書」における「発明が解決しようとする課題」の具体的な内容を記入するための内容記入画面（第２画面Ｐ２）を表示し、第１画面Ｐ１を非アクティブにする（図３参照）。入力部１を使って第８領域Ａ８がクリックされると、制御部２は、特許出願書類の１つである「請求の範囲」の具体的な内容を記入するための内容記入画面（第４画面Ｐ４）を表示し、第１画面Ｐ１を非アクティブにする（図５参照）。
【００５３】
入力部１を使って第９領域Ａ９がクリックされると、制御部２は、出願書類の１つである「明細書」における「課題を解決するための手段」の具体的な内容を記入するための内容記入画面を表示し、第１画面Ｐ１を非アクティブにする（不図示）。入力部１を使って第１０領域Ａ１０がクリックされると、制御部２は、出願書類の１つである「明細書」における「発明を実施するための形態」の具体的な内容を記入するための内容記入画面を表示し、第１画面Ｐ１を非アクティブにする（図９の第８画面とほぼ同様であって、選択段落の強調表示が無いもの）。入力部１を使って第１１領域Ａ１１がクリックされると、制御部２は、出願書類の１つである「明細書」における「発明の効果」の具体的な内容を記入するための内容記入画面を表示し、第１画面Ｐ１を非アクティブにする（不図示）。入力部１を使って第１２領域Ａ１２がクリックされると、制御部２は、出願書類の１つである「要約書」の具体的な内容を記入するための内容記入画面を表示し、第１画面Ｐ１を非アクティブにする（不図示）。
【００５４】
次に、第２画面Ｐ２の詳細について説明する（図３参照）。第２画面Ｐ２は、第２０〜第２５領域Ａ２０〜Ａ２５を有する。なお、ここでは、内容記入画面の具体例として、出願書類の１つである「明細書」における「発明が解決しようとする課題」の具体的な内容を記入する手順を、第２画面Ｐ２を使って説明するが、他の記載項目（例えば、「技術分野」）の具体的な内容を記入する手順も同様である。
【００５５】
入力部１を使って第２０領域Ａ２０がクリックされると、制御部２は、第２画面Ｐ２の内容入力（「発明が解決しようとする課題」の内容入力）に関連するメモ書き用の画面をアクティブにし、第２画面Ｐ２を非アクティブにする（不図示）。入力部１を使って第２１領域Ａ２１がクリックされると、制御部２は、第１画面Ｐ１をアクティブにし、第２画面Ｐ２を非アクティブにする（図２参照）。入力部１を使って第２２領域Ａ２２がクリックされると、制御部２は、第２３領域Ａ２３に入力する記載項目の具体的内容（ここでは「発明が解決しようとする課題」の具体的内容）を作るためのコツを教えるヘルプ画面を、表示部４に表示する（不図示）。
【００５６】
第２３領域Ａ２３は、入力部１を使って、記載項目（ここでは、出願書類の１つである「明細書」における「発明が解決しようとする課題」）の具体的な内容を記入する領域であり、入力部１のキーボードなどで、第２３領域Ａ２３に直接書き込みすることよって、内容を記入することも出来るし、他のファイルのテキストを貼り付けることによって内容を記入することも出来る。また、例文検索画面（第３画面Ｐ３、図４参照）を表示させた状態で、かかる第３画面Ｐ３における第３０領域Ａ３０に表示された段落のうち選択された段落をコピー＆ペーストすることにより、他の文献を引用して、内容を記入することも出来る。入力部１を使って、第２４領域Ａ２４がクリックされると、制御部２は、第２３領域Ａ２３に記入された内容を消去する。入力部１を使って、第２５領域Ａ２５がクリックされると、制御部２は、例文表示など、第２３領域Ａ２３に内容を記載するために参照となる情報を選択する別ウィンドウを表示する。
【００５７】
次に、第３画面Ｐ３の詳細について説明する（図４参照）。第３画面Ｐ３の表示は、第２画面Ｐ２が表示された状態で、入力部１を使って所定の操作（例えば、第２５領域Ａ２５のクリックなど）を行うことにより行われる。第３画面Ｐ３は、第２０〜第３２領域Ａ２０〜Ａ３３を有する。第２０〜第２５領域Ａ２０〜Ａ２５は、第２画面Ｐ２における第２０〜第２５領域Ａ２０〜Ａ２５と同じである。但し、第２６〜第３３領域Ａ２６〜Ａ３３を配置するために、第２３〜第２５領域Ａ２３〜Ａ２５の配置や大きさが、第２画面Ｐ２のものと異なる。
【００５８】
第２６領域Ａ２６は、入力部１を使って、記録部３の所定のフォルダに記録された例文ファイルの中から、検索する対象領域を選択するために使用される。例えば、図４に示すように、第２６領域Ａ２６には、選択された項目として「発明が解決しようとする課題」に対応した「課題」が選択されている場合には、記録部３の所定のフォルダに記録された例文ファイルの中から、該例文ファイルそれぞれの文書中の「発明が解決しようとする課題」に所定のキーワードが含まれているかどうかが検索される。
【００５９】
なお、ここでは、検索する対象領域として、「発明が解決しようとする課題」が選択された例を示すが、「明細書」における他の記載項目や「請求の範囲」が選択されてもよい。「請求の範囲」が選択された場合には、記録部３の所定のフォルダに記録された例文ファイルの中から、該例文ファイルそれぞれの文書中の「請求の範囲」に所定のキーワードが含まれているかどうかが検索される。すなわち、この場合、第３０領域Ａ３０への出力は、段落単位に代えて、請求項単位で行われる。
【００６０】
なお、本実施形態では、第２６領域Ａ２６で選択される検索対象領域は、「明細書」における記載項目や、「請求の範囲」のうちの１つであるとして説明するが、複数の検索対象領域が選択可能な形態であってもよい。
【００６１】
第２７領域Ａ２７は、入力部１を使って、記録部３の所定のフォルダに記録された例文ファイルの中から、特定の段落（または「請求項」）を検索する検索キーワードを入力するために使用される。図４は、検索キーワードとして、「水素」と「エネルギー」が入力された状態を示す。
【００６２】
第２８領域Ａ２８は、第２７領域Ａ２７に複数の検索キーワードが入力された場合に、入力部１を使って、これらをＡＮＤ条件で検索する（総ての検索キーワードを含む段落を抽出する）か、ＯＲ条件で検索する（少なくとも１つの検索キーワードを含む段落を抽出する）かのいずれかを選択するために使用される。図４は、ＡＮＤ条件で検索することが選択された状態を示す。
【００６３】
入力部１を使って、第２９領域Ａ２９がクリックされると、制御部２は、記録部３の所定のフォルダに記録された例文ファイルの中から、第２６〜第２８領域Ａ２６〜Ａ２８で設定された検索条件に合う段落（検索する対象領域が「請求の範囲」の場合は請求項）を検索し、検索条件に合う段落（または「請求項」）を、第３０領域Ａ３０に表示する。検索条件に合う段落（または「請求項」）が複数個見つかった場合には、複数の段落（または「請求項」）が、線で区切られ、段落（または「請求項」）ごとに選択が可能な状態で表示される。複数の段落（または「請求項」）のうち、入力部１を使ってクリックして選択された段落（または「請求項」）が、線で区切ったり色分けしたりするなどして他の段落（または「請求項」）と区別が出来る状態で表示される。
【００６４】
この検索について、具体的に説明する。第２９領域Ａ２９がクリックされて、検索実行指示が行われると、制御部２は、記録部３の所定のフォルダに記録された例文ファイルにおける検索対象領域を特定する。出願書類は、対象領域に対応する名称が、墨付きカッコで記載されているので、該対象領域に対応する名称を含む墨付きカッコの文字列を例文ファイルから探し出し、別の名称が含まれる墨付きカッコの文字列が記載された領域までを、該対象領域に対応した段落であると判断する。制御部２は、該対象領域に対応した段落（または「請求項」）の中で、第２７領域Ａ２７に入力した検索キーワードを含む段落（または「請求項」）を検索し、該検索キーワードを含む段落（または「請求項」）が有った場合には、これを抽出し（第１抽出工程）、第３０領域Ａ３０に表示する（第１表示工程）。この処理を、記録部３の所定のフォルダに記録された例文ファイルの総てについて行う。
【００６５】
第３０領域Ａ３０に検索条件に合う段落（または「請求項」）が表示された状態で、入力部１を使って、いずれかの段落（または「請求項」）がクリックされると、制御部２は、クリックされた領域を含む段落（または「請求項」）をコピーし、第２３段落Ａ２３に貼り付ける。
【００６６】
図４は、検索条件に合う段落の３つを第３０領域Ａ３０に表示し、そのうちの真ん中の段落「そこで本発明の課題は、このような実績に鑑み、水素発生のための必要エネルギー量が小さく、かつ発生設備が非常に簡単で、しかも水素発生のための原材料も安価で入手の容易なもので済む、極めて効率のよい水素発生方法および装置を提供することにある。」を太字で表し、この段落が選択され、第２３領域Ａ２３にコピー＆ペーストされた状態を示す。
【００６７】
第３１領域Ａ３１は、入力部１を使って、第３０領域Ａ３０で選択された段落（または「請求項」）を第２３領域Ａ２３に挿入する位置を選択するために使用される。
【００６８】
入力部１を使って、第３２領域Ａ３２がクリックされると、制御部２は、例文ファイルを記録したフォルダを選択する別画面を表示する（不図示）。この別画面を見ながら、入力部１を使って、例文として使用する例文ファイルを含むフォルダを変更することが可能になる。入力部１を使って、第３３領域Ａ３３がクリックされると、制御部２は、第２画面Ｐ２をアクティブにし、第３画面Ｐ３を非アクティブにする（図３参照）。
【００６９】
本実施形態では、予め記録部３の所定のフォルダ（第３２領域Ａ３２を使って別フォルダへの変更も可能）に記録しておいた例文ファイルの中から、出願書類における記載項目の具体的な内容を作成するのに参考になる段落（または「請求項」）を、キーワードなど所定の検索条件を使って探し出し、特許出願または実用新案登録出願の出願書類の具体的な内容を入力する際に参考になる有益な情報として、探し出した段落（または「請求項」）を引用して「明細書」などの具体的な内容を作成することが可能になる。
【００７０】
なお、例文ファイルを、所定の検索条件を使って、特許庁電子図書館などのデータベースにアクセスして出願公開された情報の中から、読み出す形態も考えられるが、データ量が多く、検索に時間がかかるし、インターネットなどでアクセスする通信手段を使うなど、システムが複雑になる。また、出願公開された文献に限定される。
【００７１】
これに対して、本実施形態では、指定したフォルダに記録された例文ファイルだけであり、且つ「発明が解決しようとする課題」など、検索対象領域を限定しているため、検索範囲が限られているため、これらを限定しない形態に比べて、検索処理速度を早くすることが可能になる。
【００７２】
また、出願公開された情報に限らず、出願公開前であっても、使用者が取得し、「明細書」や「請求の範囲」を含む出願書類を、例文ファイルとして、記録部３の所定のフォルダに格納し、出願書類における記載項目の具体的な内容作成に使用することが可能になる。
【００７３】
また、出願公開された情報（出願書類）の中には、技術的に正しいかどうかの判断が難しいものも少なくないため、かかる判断をしないで単に検索条件に合致した段落を自身の出願書類の記載項目の具体的な内容として引用するのは、間違った技術情報を使って、出願書類を作成するおそれがあり、好ましいことではない。
【００７４】
これに対して、本実施形態では、検索の対象として使っても良いと使用者などが予め判断した例文ファイルだけを記録部３の所定のフォルダに記録しておき、これらの中から条件に有った段落（または「請求項」）を検索し、引用の対象とするため、かかる問題を解消することも可能になる。
【００７５】
次に、第４画面Ｐ４の詳細について説明する（図５参照）。第４画面Ｐ４は、第４０〜第４８領域Ａ４０〜Ａ４８を有する。入力部１を使って第４０領域Ａ４０がクリックされると、制御部２は、第４画面Ｐ４の内容入力（「請求の範囲」の内容入力）に関連するメモ書き用の画面をアクティブにし、第４画面Ｐ４を非アクティブにする（不図示）。入力部１を使って第４１領域Ａ４１がクリックされると、制御部２は、第４画面Ｐ４を非アクティブにし、第１画面Ｐ１をアクティブにする（図２参照）。入力部１を使って第４２領域Ａ４２がクリックされると、制御部２は、第４３領域Ａ４３に入力する記載項目の具体的内容（ここでは「請求の範囲」の具体的内容）を作るためのコツを教えるヘルプ画面を、表示部４に表示する（不図示）。
【００７６】
第４３領域Ａ４３は、入力部１を使って、記載項目（ここでは、出願書類の１つである「請求の範囲」における第４６領域Ａ４６で指定された「請求項」）の具体的な内容を記入する領域であり、入力部１のキーボードなどで、第４３領域Ａ４３に直接書き込みすることよって、内容を記入することも出来るし、他のファイルのテキストを貼り付けることによって内容を記入することも出来る。また、他の記載項目と同様に、第３画面Ｐ３に示すような例文検索画面であって、「請求の範囲」に対応するものを使って、記録部３の所定のフォルダに記録された例文ファイルの段落（または「請求項」）を引用（コピー＆ペースト）することにより、内容を記入することも出来る。入力部１を使って、第４４領域Ａ４４がクリックされると、制御部２は、第４３領域Ａ４３に記入された内容を消去する。入力部１を使って、第４５領域Ａ４５がクリックされると、制御部２は、例文表示など、第４３領域Ａ４３に内容を記載するために参照となる情報を選択する別ウィンドウを表示する。
【００７７】
第４６領域Ａ４６は、入力部１を使って、第４３領域Ａ４３に記入する「請求項」の番号を選択するために使用される。図５は、「請求項１」が選択され、「請求項１」の具体的な内容を、第４３領域Ａ４３に記入する状態を示す。
【００７８】
入力部１を使って、第４７領域Ａ４７がクリックされると、制御部２は、請求の範囲に記載された内容を確認するための３つの機能（「請求項ツリー表示」、「請求項の従属関係チェック」、及び「実施形態との合致チェック」）を選択させる画面を別ウィンドウで表示する（不図示）。入力部１を使って、第４８領域Ａ４８がクリックされると、制御部２は、請求の範囲に記載された総ての請求項の内容を表示するプレビュー画面をアクティブにし、第４画面Ｐ４を非アクティブにする（不図示）。
【００７９】
かかる別ウィンドウが表示された状態で、入力部１を使って「請求項ツリー表示」が選択されると、制御部２は、「請求の範囲」に記載された「請求項」の従属関係を図示するツリーを表示する（第５画面Ｐ５、図６参照）。「請求項ツリー表示」を行う際、制御部２は、「請求の範囲」に記載された「請求項」ごとに「〜請求項○に記載の〜」という文字列が含まれるか否かを判断し（第１判断工程）、かかる文字列が含まれる場合には「従属請求項」であるとし、かかる文字列が含まれない場合には「独立請求項」であるとして、ツリー構造を作成し表示する（第２表示工程）。
【００８０】
なお、第１判断工程において、「〜請求項○または請求項△に記載の〜」のように、複数の上位請求項に従属する場合には、それぞれの上位請求項に従属するツリー構造を示す。例えば、請求項２が、請求項１に従属し、請求項３が、請求項１または請求項２に従属し、請求項４が、請求項１〜請求項３のいずれかに従属する場合には、８通りの請求項を含むツリー構造になる（図２０参照）。
【００８１】
これにより、使用者は、特許出願または実用新案登録出願の出願書類の具体的な内容を入力する際に参考になる有益な情報として、「請求の範囲」に記載した「請求項」の従属関係を、視覚的に容易に認識することが可能になる。
【００８２】
このとき、制御部２は、「請求項ツリー」を、「請求項ツリー」における「請求項」を表示した領域に対応した「請求項」の内容をリンクして表示可能な状態で、表示部４に表示する。具体的には、第５画面Ｐ５が表示された状態で、入力部１を使って、「請求項○」と表示された領域がクリックされると、制御部２は、クリックされた「請求項」と、該「請求項」の下位の「請求項」との従属関係を示す第６画面Ｐ６を表示する（図７参照）。
【００８３】
かかる別ウィンドウが表示された状態で、入力部１を使って「請求項の従属関係チェック」が選択されると、制御部２は、現在第４画面Ｐ４で表示している「請求項」（ここでは「請求項１」、図５参照）がチェック対象の上位の「請求項」であるとして、かかる「請求項」の１つ下位概念にあたる下位の「請求項」（ここでは「請求項２〜４」）との従属関係を示す第６画面Ｐ６を表示する（図７参照）。
【００８４】
具体的には、制御部２は、チェック対象の上位の「請求項」において使用された単語を抽出し（第２抽出工程）、後述する第６画面Ｐ６の第６２領域Ａ６２に表示し（第３表示工程）、該「請求項」の１つ下位概念にあたる下位の「請求項」において使用された単語を抽出し（第３抽出工程）、後述する第６画面Ｐ６の第６６領域Ａ６６に表示し（第３表示工程）、これらの抽出した単語を比較し、第６６領域Ａ６６において、第６６領域Ａ６６に挙げられているが、第６２領域Ａ６２に挙げられていない単語を強調表示（ここでは四角枠で単語を囲む強調表示）する。
【００８５】
第２、第３抽出工程で抽出される単語（後述する第４抽出工程で抽出される単語も同様）は、漢字、カタカナ、アルファベットの少なくとも１つを含み、且つひらがなを含まないものを示す。例えば、「請求項」に、「第１の物質」と書かれた場合には、この部分から、「第１」という単語と、「物質」という２つの単語が抽出され、「請求項」に、「第１物質」と書かれた場合には、この部分から、「第１物質」という１つの単語が抽出される。
【００８６】
これにより、使用者は、特許出願または実用新案登録出願の出願書類の具体的な内容を入力する際に参考になる有益な情報として、下位の「請求項」が上位の「請求項」に対して正しい従属関係になっているか否かを視覚的に容易に認識することが可能になる。
【００８７】
かかる別ウィンドウが表示された状態で、入力部１を使って「実施形態との合致チェック」が選択されると、制御部２は、現在第４画面Ｐ４で表示している「請求項」（ここでは「請求項１」、図５参照）が、チェック対象の「請求項」であるとして、かかる「請求項」に記載された内容が、「明細書」における「発明を実施するための形態」に十分に記載されているか否かを示す第７画面Ｐ７を表示する（図８参照）。
【００８８】
具体的には、制御部２は、チェック対象の「請求項」において使用された単語を抽出し（第４抽出工程）、後述する第７画面Ｐ７の第７５領域Ａ７５に表示し、「発明を実施するための形態」における段落ごとに、該段落において、抽出された単語が使用された割合（合致率）を算出し（算出工程）、第７画面Ｐ７の第７２領域Ａ７２に表示する（第４表示工程）。合致率は、例えば、計算対象段落において第４抽出工程で抽出された単語が含まれる文字数を、該計算対象段落の文字数で割ったものが考えられる。
【００８９】
これにより、使用者は、特許出願または実用新案登録出願の出願書類の具体的な内容を入力する際に参考になる有益な情報として、「請求項」ごとに、「請求項」に使用された単語の、「発明を実施するための形態」の段落ごとの合致率を見て、「発明を実施するための形態」に該「請求項」の内容が十分に記載されているか否かを視覚的に容易に認識することが可能になる。
【００９０】
なお、選択された「請求項」の内容と「発明を実施するための形態」との合致チェックに代えて、選択された「請求項」の内容と「課題を解決するための手段」との合致チェックを行う形態であってもよい。この場合は、制御部２は、チェック対象の「請求項」において使用された単語を抽出し（第４抽出工程）、後述する第７画面Ｐ７の第７５領域Ａ７５に表示し、「課題を解決するための手段」における段落ごとに、該段落において、抽出された単語が使用された割合（合致率）を算出し（算出工程）、第７画面Ｐ７の第７２領域Ａ７２に表示する（第４表示工程）。
【００９１】
次に、第６画面Ｐ６の詳細について説明する（図７参照）。第６画面Ｐ６は、第６０〜第７０領域Ａ６０〜Ａ７０を有する。入力部１を使って第６０領域Ａ６０がクリックされると、制御部２は、第６画面Ｐ６を非アクティブにし、チェック対象の「請求項」に対応した第４画面Ｐ４をアクティブにする（図５参照）。第６１領域Ａ６１は、チェック対象の「請求項」（ここでは、「請求項１」）の内容を表示する領域である。第６２領域Ａ６２は、制御部２が抽出したチェック対象の「請求項」において使用された単語（語句）を表示する領域である。
【００９２】
第６画面Ｐ６が表示された状態で、入力部１を使って、第６２領域Ａ６２に表示された単語がクリックされると、制御部２は、クリックされた単語が強調された状態で、現在第６１領域Ａ６１に表示されている「請求項」（ここでは、「請求項１」）の内容を表示する第４画面Ｐ４をアクティブにし、第６画面Ｐ６を非アクティブにする（不図示）。
【００９３】
第６３領域Ａ６３は、入力部１を使って、第６５領域Ａ６５に表示する「請求項」の番号を選択するために使用される（チェック対象の「請求項」の１つ下位の従属「請求項」のみ選択可）。入力部１を使って第６４領域Ａ６４がクリックされると、制御部２は、第６画面Ｐ６を非アクティブにし、第６３領域Ａ６３で選択した「請求項」に対応した第４画面Ｐ４をアクティブにする。
【００９４】
第６５領域Ａ６５は、第６３領域Ａ６３で選択した「請求項」（ここでは、「請求項２」）の内容を表示する領域である。第６６領域Ａ６６は、制御部２が抽出した下位の従属「請求項」において使用された単語（語句）を表示する領域である。制御部２は、第６６領域Ａ６６において、第６６領域Ａ６６に挙げられているが、第６２領域Ａ６２に挙げられていない単語を強調表示（ここでは四角枠で単語を囲む）する。
【００９５】
第６画面Ｐ６が表示された状態で、入力部１を使って、第６６領域Ａ６６に表示された単語がクリックされると、制御部２は、クリックされた単語が強調された状態で、現在第６３領域Ａ６３に表示されている「請求項」（ここでは、「請求項２」）の内容を表示する第４画面Ｐ４をアクティブにし、第６画面Ｐ６を非アクティブにする（不図示）。
【００９６】
入力部１を使って第６７領域Ａ６７がクリックされると、制御部２は、「請求項」から単語を抽出する条件を設定するために使用される画面を表示部４に表示する（不図示）。入力部１を使って第６８領域Ａ６８がクリックされると、制御部２は、単語を抽出する条件などが最新の状態で、上位の「請求項」、及び下位の「請求項」における単語の抽出、抽出された単語の比較などを行う。入力部１を使って第６９領域Ａ６９がクリックされると、制御部２は、第６画面Ｐ６の表示を終了し、第５画面Ｐ５を表示する。入力部１を使って第７０領域がクリックされると、制御部２は、第６画面Ｐ６の表示を終了し、第４画面Ｐ４をアクティブにする。
【００９７】
下位の「請求項」は、上位の「請求項」に対して、新しい構成要素を加えているため、通常下位の「請求項」には、上位の「請求項」で使用された単語に加えて、新しい単語が用いられる。但し、新しい構成要素を加えるために新しい単語を使っているのか、間違えて意図しない単語を使ってしまったのかが分かりにくい場合がある。本実施形態では、上位の「請求項」の単語と、下位の「請求項」の単語とを１画面上に表示し、且つ下位の「請求項」で、新しく使用された単語を強調表示するため、特許出願または実用新案登録出願の出願書類の具体的な内容を入力する際に参考になる有益な情報として、これら強調表示された単語を見ることにより、上位の「請求項」（ここでは「請求項１」）と、下位の「請求項」（ここでは「請求項２」）との間の従属関係が正しく書けているか否かを容易に判断することが可能になる。
【００９８】
次に、第７画面Ｐ７の詳細について説明する（図８参照）。第７画面Ｐ７は、第７１〜第７８領域Ａ７１〜Ａ７８を有する。入力部１を使って第７１領域Ａ７１がクリックされると、制御部２は、第７画面Ｐ７を非アクティブにし、チェック対象の「請求項」に対応した第４画面Ｐ４をアクティブにする（図５参照）。
【００９９】
第７２領域Ａ７２は、「発明を実施するための形態」の段落ごとに、チェック対象の「請求項」で使用された単語（語句）が使用された割合（合致率）を表示する領域であり、段落番号、該段落番号に記載された内容の一部又は全部、合致率、及びチェックボックスを有する。チェックボックスにチェックが入ると、上の段落と同じ１つの段落であるとして、合致率の計算が行われる。合致率が高い段落は、チェック対象の「請求項」の内容を含む説明を記載した可能性が高いため、かかる段落の内容を見れば、「明細書」の記載要件（実施可能要件など）を満たしているかを確認することが可能になる。
【０１００】
複数の段落は、線で区切られ、段落ごとに選択が可能な状態で表示される。複数の段落のうち、入力部１を使ってクリックして選択された段落が、色分けしたりするなどして他の段落と区別が出来る状態で表示される。図８では、段落８が、段落７と同じ段落であると設定された状態で、かかる段落７が選択された状態を示す。また、合致率の高さに応じて色分け表示される形態であってもよい。
【０１０１】
入力部１を使って第７３領域Ａ７３がクリックされると、制御部２は、チェックボックスのチェック状態などが最新の状態で、チェック対象の「請求項」における単語の抽出、抽出された単語の「発明を実施するための形態」の段落ごとの合致率計算などを行う。
【０１０２】
制御部２は、段落ごとに算出された割合（合致率）を、段落ごとに算出された割合を表示した領域に対応した段落の内容をリンクして表示可能な状態で、表示部４に表示する。具体的には、入力部１を使って第７４領域Ａ７４がクリックされると、制御部２は、「発明を実施するための形態」を表示する第８画面Ｐ８を、表示部４に表示する（図９参照）。このとき、選択された段落（ここでは段落７と段落８）が強調表示される。
【０１０３】
第７５領域Ａ７５は、制御部２が抽出したチェック対象の「請求項」において使用された単語（語句）を表示する領域である。制御部２は、第７２領域Ａ７２において選択された段落で使用されている単語を、使用されていない単語と区別するために、強調表示（ここでは四角枠で単語を囲む）する。
【０１０４】
第７画面Ｐ７が表示された状態で、入力部１を使って、第７５領域Ａ７５に表示された単語がクリックされると、制御部２は、クリックされた単語が強調された状態で、現在のチェック対象の「請求項」（ここでは、「請求項１」）の内容を表示する第４画面Ｐ４をアクティブにし、第６画面Ｐ６を非アクティブにする（不図示）。
【０１０５】
入力部１を使って第７６領域Ａ７６がクリックされると、制御部２は、「請求項」から単語（語句）を抽出する条件、合致率に応じた色分けの条件などを設定するために使用される画面を表示する（不図示）。入力部１を使って第７７領域Ａ７７がクリックされると、制御部２は、第７画面Ｐ７の表示を終了し、第５画面Ｐ５を表示する。入力部１を使って第７８領域Ａ７８がクリックされると、制御部２は、第７画面Ｐ７の表示を終了し、第４画面Ｐ４をアクティブにする。
【０１０６】
次に、第８画面Ｐ８の詳細について説明する（図９参照）。第８画面Ｐ８は、第８０〜第８５領域Ａ８０〜Ａ８５を有する。第８０〜第８５領域Ａ８０〜Ａ８５の構成は、第２画面Ｐ２の第２０〜第２５画面Ａ２０〜Ａ２５とほぼ同様であるが、第７画面Ｐ７の表示後の第８画面Ｐ８では、第８３領域Ａ８３において、選択された段落が強調表示される。
【０１０７】
入力部１を使って第８０領域Ａ８０がクリックされると、制御部２は、第８画面Ｐ８の内容入力（「発明を実施するための形態」の内容入力）に関連するメモ書き用の画面をアクティブにし、第８画面Ｐ８を非アクティブにする（不図示）。入力部１を使って第８１領域Ａ８１がクリックされると、制御部２は、第２画面Ｐ２を非アクティブにし、第１画面Ｐ１をアクティブにする（図２参照）。入力部１を使って第８２領域Ａ８２がクリックされると、制御部２は、第８３領域Ａ８３に入力する記載項目の具体的内容（ここでは「発明を実施するための形態」の具体的内容）を作るためのコツを教えるヘルプ画面を、表示部４に表示する（不図示）。
【０１０８】
第８３領域Ａ８３は、入力部１を使って、記載項目（ここでは、出願書類の１つである「明細書」における「発明を実施するための形態」）の具体的な内容を記入する領域であり、入力部１のキーボードなどで、第８３領域Ａ８３に直接書き込みすることよって、内容を記入することも出来るし、他のファイルのテキストを貼り付けることによって内容を記入することも出来る。また、例文検索画面を使って他の文献を引用して内容を記入することも出来る。入力部１を使って、第８４領域Ａ８４がクリックされると、制御部２は、第８３領域Ａ８３に記入された内容を消去する。入力部１を使って、第８５領域Ａ８５がクリックされると、制御部２は、例文表示など、第８３領域Ａ８３に内容を記載するために参照となる情報を選択する別ウィンドウを表示する。
【０１０９】
次に、第９画面Ｐ９の詳細について説明する（図１０参照）。第９画面Ｐ９は、第９０〜第９９領域Ａ９０〜Ａ９９を有する。入力部１を使って第９０領域Ａ９０がクリックされると、制御部２は、第９画面Ｐ９の内容入力（「図面」や「図面の簡単な説明」の内容入力）に関連するメモ書き用の画面をアクティブにし、第９画面Ｐ９を非アクティブにする（不図示）。入力部１を使って第９１領域Ａ９１がクリックされると、制御部２は、第９画面Ｐ９を非アクティブにし、第１画面Ｐ１をアクティブにする（図２参照）。入力部１を使って第９２領域Ａ９２がクリックされると、制御部２は、第９６領域Ａ９６、第９７領域Ａ９７に入力する記載項目の具体的内容（ここでは「図面」や「図面の簡単な説明」の具体的内容）を作るためのコツを教えるヘルプ画面を、表示部４に表示する（不図示）。
【０１１０】
第９３領域Ａ９３は、入力部１を使って、第９６領域Ａ９６に記入する「図面」の番号を選択するために使用される。図１０は、「図１」が選択され、「図１」の具体的な内容を、第９６領域Ａ９６に記入する状態を示す。入力部１を使って、第９４領域Ａ９４がクリックされると、制御部２は、「図面」を追加したり、第９６領域Ａ９６に挿入する図面データを選択したりするために使用される別ウィンドウを表示する。入力部１を使って、第９５領域Ａ９５がクリックされると、制御部２は、第９６領域Ａ９６に記入された内容を消去する。
【０１１１】
第９６領域Ａ９６は、入力部１を使って、記載項目（ここでは、出願書類の１つである「図面」）の具体的な内容を記入する領域であり、入力部１を使って第９４領域Ａ９４をクリックするなどして、図面データを貼り付けることによって内容を記入することが出来る。第９７領域Ａ９７は、入力部１を使って、記載項目（ここでは、出願書類の１つである「明細書」における「図面の簡単な説明」）の具体的な内容を記入する領域であり、入力部１のキーボードなどで、第９７領域Ａ９７に直接書き込みすることよって、内容を記入することも出来るし、他のファイルのテキストを貼り付けることによって内容を記入することも出来る。入力部１を使って、第９８領域Ａ９８がクリックされると、制御部２は、用語表示など、第９７領域Ａ９７に内容を記載するために参照となる情報を選択する別ウィンドウを表示する。入力部１を使って、第９９領域Ａ９９がクリックされると、制御部２は、第９７領域Ａ９７に記入された内容を消去する。
【０１１２】
次に、第１０画面Ｐ１０の詳細について説明する（図１１参照）。第１０画面Ｐ１０は、第１００〜第１０５領域Ａ１００〜Ａ１０５を有する。
【０１１３】
入力部１を使って第１００領域Ａ１００がクリックされると、制御部２は、第１０画面Ｐ１０の内容入力（「符号の説明」の内容入力）に関連するメモ書き用の画面をアクティブにし、第１０画面Ｐ１０を非アクティブにする（不図示）。入力部１を使って第１０１領域Ａ１０１がクリックされると、制御部２は、第１画面Ｐ１をアクティブにし、第１０画面Ｐ１０を非アクティブにする（図２参照）。入力部１を使って第１０２領域Ａ１０２がクリックされると、制御部２は、第１０３領域Ａ１０３に入力する記載項目の具体的内容（ここでは「符号の説明」の具体的内容）を作るためのコツを教えるヘルプ画面を、表示部４に表示する（不図示）。
【０１１４】
第１０３領域Ａ１０３は、入力部１を使って、記載項目（ここでは、出願書類の１つである「明細書」における「符号の説明」）の具体的な内容を記入する領域であり、入力部１のキーボードなどで、第１０３領域Ａ１０３に直接書き込みすることよって、内容を記入することも出来るし、他のファイルのテキストを貼り付けることによって内容を記入することも出来る。また、「明細書」に記載された符号と符号の前に記載された単語または文字列との組みあわせに基づいて、「符号の説明」で使用される符号や該符号に対応する単語または文字列を抽出し、第１２１領域Ａ１２１（図１３、図１４参照）に表示させ、これを編集して第１０３領域Ａ１０３に記入する内容を決定することも出来る。入力部１を使って、第１０４領域Ａ１０４がクリックされると、制御部２は、第１０３領域Ａ１０３に記入された内容を消去する。
【０１１５】
入力部１を使って、第１０５領域Ａ１０５がクリックされると、制御部２は、「明細書」からの符号抽出など、第１０３領域Ａ１０３に内容を記載するために参照となる情報を選択する別ウィンドウを表示する。
【０１１６】
特に、別ウィンドウで「明細書」に記載された符号と該符号の前に記載された単語または文字列を抽出する選択をした場合には、制御部２は、第１１画面Ｐ１１をアクティブにし、第１０画面Ｐ１０を非アクティブにする（図１２参照）。
【０１１７】
次に、第１１画面Ｐ１１の詳細について説明する（図１２参照）。第１１画面Ｐ１１の表示は、第１０画面Ｐ１０又は第１２画面Ｐ１２が表示された状態で、入力部１を使って所定の操作（例えば、第１０５領域Ａ１０５のクリックなど）を行うことにより行われる。第１１画面Ｐ１１は、第１１１〜第１１６領域Ａ１１１〜Ａ１１６を有する。
【０１１８】
入力部１を使って、第１１１領域Ａ１１１がクリックされると、制御部２は、「符号の説明」の記載で使用する符号や該符号に対応する単語または文字列を「明細書」から抽出するためのコツを教えるヘルプ画面を、表示部４に表示する（不図示）。入力部１を使って、第１１２領域Ａ１１２がクリックされると、制御部２は、第１１画面Ｐ１１を閉じ、第１１画面Ｐ１１をアクティブにする前の画面（第１０画面Ｐ１０又は第１２画面Ｐ１２）の表示にする。
【０１１９】
第１１３領域Ａ１１３は、「明細書」から符号と、該符号に対応する（該符号の前方に隣接する）単語または文字列とを抽出する際の条件（第１、第２抽出条件）を設定するために使用される。
【０１２０】
第１抽出条件としては、単語または文字列を抽出する際に、ひらがなを含まない単語だけを抽出するか、単語だけでなくひらがなを含む文字列も抽出するかの選択、文字列も抽出する場合には、文字列の文字数の上限設定、文字列に含めるひらがなの文字数の上限設定、及び文字列に含めるひらがなが出現する回数（文字列に含まれるひらがなの領域の数）の上限設定が、入力部１を使って行われる。第２抽出条件としては、アルファベットで始まる符号を符号として認識するか否かの選択が、入力部１を使って行われる。
【０１２１】
入力部１を使って第１１４領域Ａ１１４がクリックされると、制御部２は、「明細書」から単語または文字列を抽出する条件（抽出語句から除外する単語など）などを設定するために使用される画面を表示する（不図示）。
【０１２２】
入力部１を使って第１１５領域Ａ１１５がクリックされると、制御部２は、第１１３領域Ａ１１３で設定した抽出条件（第１抽出条件、第２抽出条件）で、「明細書」から、符号と該符号の前方に隣接する単語または文字列を抽出し、第１１画面Ｐ１１を閉じ、第１０画面Ｐ１０の非アクティブ表示を第１２画面Ｐ１２のアクティブ表示に切り替える（図１３、図１４参照）。第１２画面Ｐ１２では、後述するように、抽出した符号と単語または文字列の組みあわせを第１２１領域Ａ１２１に表示する。
【０１２３】
具体的には、第８画面Ｐ８の第８３領域Ａ８３に書き込まれた「発明を実施するための形態」など、「符号の説明」を除く「明細書」に記載された内容から、符号がある領域を読み出し、符号と該符号の前方に隣接する単語または文字列とを抽出し（第５抽出工程）、第１２画面Ｐ１２の第１２１領域Ａ１２１（編集画面）に表示する（第５表示工程）。符号と単語または文字列の組みあわせの編集画面への表示（列挙）は、ソートがかけられた状態、すなわち、符号を番号が小さいものから順に並べ、さらに単語または文字列を昇順に並べた状態で行われるのが望ましい。
【０１２４】
抽出された符号に対応する単語または文字列が複数抽出された場合には、制御部２は、複数の符号と単語または文字列の組みあわせを総て列挙する。例えば、「１０」という符号に対して、前方に隣接する単語または文字列として、「本実施形態に係る靴」と、「靴」と、「第１の実施形態に係る靴」の３種類が抽出された場合には、それぞれの組みあわせを抽出結果として、第１２１領域Ａ１２１に列挙する（図１４参照）。
【０１２５】
第５抽出工程で抽出される符号は、数字とアルファベットの少なくとも一方を含むものを示す。ただし、アルファベットで始まる符号（例えば、Ｂ１など）を符号として認識するか否かは、第２抽出条件で選択出来る。
【０１２６】
第５抽出工程で抽出される単語は、抽出された符号の前方に隣接し、漢字、カタカナ、アルファベットの少なくとも１つを含み、且つひらがなを含まないものを示し、文字列は、抽出された符号の前方に隣接し、漢字、カタカナ、アルファベットの少なくとも１つを含み、且つひらがなを含むものを示す。ひらがなを含める条件は、第１抽出条件で選択出来る。このため、第５抽出工程において抽出される単語または文字列は、抽出された符号の前方にある単語または文字列の中から、ひらがなを含む回数など第１抽出条件に沿って決定される。
【０１２７】
例えば、「明細書」の「発明の詳細な説明」に、「第１の物質１０ａ」と書かれた場合であって、且つ第１抽出条件としてひらがなを含む抽出を行わない選択がされた場合には、この部分から、「１０ａ」という符号と、「物質」という単語が抽出される。「第１の物質１０ａ」と書かれた場合であって、且つ第１抽出条件としてひらがなを含む抽出を行う選択がされた場合には、この部分から、「１０ａ」という符号と、「第１の物質」という文字列が抽出される。
【０１２８】
また、例えば、「明細書」の「発明の詳細な説明」に、「第２スイッチＳＷ２」と書かれた場合であって、且つ第２抽出条件としてアルファベットで始まる符号を符号として認識しない選択がされた場合は、この部分から符号と単語または文字列の組みあわせが抽出されないが、第２抽出条件としてアルファベットで始まる符号を符号として認識する選択がされた場合には、この部分から、「ＳＷ２」という符号と、「第２スイッチ」という単語が抽出される。
【０１２９】
入力部１を使って第１１６領域Ａ１１６がクリックされると、制御部２は、第１１画面Ｐ１１を閉じ、第１１画面Ｐ１１をアクティブにする前の画面（第１０画面Ｐ１０又は第１２画面Ｐ１２）の表示にする。
【０１３０】
次に、第１２画面Ｐ１２の詳細について説明する（図１３、図１４参照）。第１２画面Ｐ１２の表示は、第１１画面Ｐ１１が表示された状態で、入力部１を使って所定の操作（例えば、第１１５領域Ａ１１５のクリックなど）を行うことにより行われる。第１２画面Ｐ１２は、第１００〜第１０５領域Ａ１００〜Ａ１０５、第１２１〜第１２４領域Ａ１２１〜Ａ１２４を有する。第１００〜第１０５領域Ａ１００〜Ａ１０５は、第１０画面Ｐ１０における第１００〜第１０５領域Ａ１００〜Ａ１０５と同じである。但し、第１２１〜第１２４領域Ａ１２１〜Ａ１２４を配置するために、第１０３〜第１０５領域Ａ１０３〜Ａ１０５の配置や大きさが、第１０画面Ｐ１０のものと異なる。
【０１３１】
第１２１領域Ａ１２１は、抽出結果として、「明細書」から抽出された符号と該符号に対応する単語または文字列の組みあわせを表示したり、表示された符号や単語または文字列を編集したりするために使用される。
【０１３２】
図１３は、第１抽出条件として、ひらがなを全く含まない単語だけを抽出する条件を設定した場合の結果で、「明細書」から、ひらがなを含まない単語と符号の組みあわせだけが抽出された状態を示す。図１４は、第１抽出条件として、ひらがなを含まない単語と、ひらがなを含む文字列（該文字列に含めるひらがなの文字数が３文字までで、且つ文字列においてひらがなが出現する回数が３回（文字列に含まれるひらがなの領域の数が３つ）までのもの）を、抽出する条件を設定した場合の結果で、「明細書」から、ひらがなを含まない単語と符号の組みあわせ、及びひらがなを含む文字列と符号の組みあわせが抽出された状態を示す。
【０１３３】
第１２２領域Ａ１２２は、入力部１を使って、第１２１領域Ａ１２１に表示された内容を、第１０３領域Ａ１０３に反映させる条件（挿入位置、全文差替など）を選択するために使用される。
【０１３４】
入力部１を使って、第１２３領域Ａ１２３がクリックされると、制御部２は、第１２２領域Ａ１２２で設定された反映条件で、第１２１領域Ａ１２１に表示された内容を、第１０３領域Ａ１０３に反映させる。入力部１を使って、第１２４領域Ａ１２４がクリックされると、制御部２は、第１２画面Ｐ１２のアクティブ表示を、第１０画面Ｐ１０のアクティブ表示に切り替える。
【０１３５】
「明細書」における「符号の説明」欄は、「明細書」における「符号の説明」をのぞく領域で使用される部材の番号（符号）と、該部材の名称（符号に対応し、符号の前方に隣接する単語または文字列）との組みあわせを一覧にして表示し、発明を理解するのに役立つ領域である。本実施形態では、かかる「符号の説明」欄を作成する際に、「明細書」に記載された内容に基づいて、「符号の説明」欄に記載すべき候補として符号と単語または文字列の組みあわせを列挙し、「符号の説明」の内容を記入する際の参考にすることが可能になる。
【０１３６】
「明細書」から符号や単語または文字列が抽出された場合、不必要な符号や単語または文字列を含んだり、必要な符号や単語または文字列を抽出出来なかったりすることが考えられる。本実施形態では、抽出結果が編集可能な状態で第１２１領域Ａ１２１に表示され、第１２１領域Ａ１２１に表示された抽出結果を編集しながら、「符号の説明」欄に記載すべき事項を決定することが出来るため、「符号の説明」欄の記載を正しく簡単に行うことが可能になる。
【０１３７】
特に、符号の前方に隣接する単語または文字列の抽出については、ひらがなを含める条件を設定出来るため、「明細書」の作成者の傾向に合わせて、編集作業が少なくて済むような符号と単語または文字列の組みあわせを抽出することが可能になる。
【０１３８】
以上のように、「明細書」における「符号の説明」を除く領域から、「符号の説明」で使用する内容の候補を挙げることも可能であるが、「図面」に記載された符号を読み出して、「符号の説明」で使用する内容の候補を挙げることも出来る（図１５、図１６参照）。
【０１３９】
第９画面Ｐ９を表示した状態（図１０参照）で、入力部１を使って「図面」から符号を読み出しするための所定の操作が行われると、制御部２は、「図面」から、すなわち、第９６領域Ａ９６に貼り付けられた図面データから、符号であると認識出来る領域を抽出し、第９画面Ｐ９を閉じ、第１２画面Ｐ１２を表示する（図１５参照）。第１２画面Ｐ１２では、後述するように、抽出した符号を第１２１領域Ａ１２１に表示する。
【０１４０】
具体的には、第９画面Ｐ９の第９６領域Ａ９６に貼り付けられた図面データから、符号がある領域を読み出して抽出し（第６抽出工程）、第１２画面Ｐ１２の第１２１領域Ａ１２１に表示する（第６表示工程）。符号の編集画面への表示（列挙）は、ソートがかけられた状態、すなわち、符号を番号が小さいものから順に並べた状態で行われるのが望ましい。例えば、図１５では、図１０の第９６領域Ａ９６から、「１０」、「１１」、「１２」、「１３」、「２０」、「３０」、及び「４０」を符号として抽出された状態を示す。
【０１４１】
これにより、「符号の説明」欄を作成する際に、「図面」に記載された内容に基づいて、「符号の説明」欄に記載すべき候補として符号を列挙し、「符号の説明」の内容を記入する際の参考にすることが可能になる。ただし、この時点では、符号だけしか挙げられておらず、単語または文字列との関係が明確にされていない。
【０１４２】
第１２画面Ｐ１２を表示した状態（図１５参照）で、入力部１を使って「明細書」から符号と単語または文字列の組みあわせを抽出するための所定の操作が行われると、制御部２は、第１１３領域Ａ１１３で設定した抽出条件（第１抽出条件、第２抽出条件）で、「明細書」から、符号と該符号の前方に隣接する単語または文字列を抽出し、第１２１領域Ａ１２１に書き込みする（図１６参照）。
【０１４３】
具体的には、第８画面Ｐ８の第８３領域Ａ８３に書き込まれた「発明を実施するための形態」など、「符号の説明」を除く「明細書」に記載された内容から、符号がある領域を読み出し、符号と該符号の前方に隣接する単語または文字列とを抽出し（第７抽出工程）、第１２画面Ｐ１２の第１２１領域Ａ１２１に表示する（第７表示工程）。符号と単語または文字列の組みあわせの編集画面への表示（列挙）は、ソートがかけられた状態、すなわち、符号を番号が小さいものから順に並べ、さらに単語または文字列を昇順に並べた状態で行われるのが望ましい。
【０１４４】
また、第７抽出工程と、第７表示工程との間に、「図面」から抽出され第１２１領域Ａ１２１に記載されている符号ごとに、「明細書」から抽出された符号と一致するか否かを判断する第２判断工程が行われる。
【０１４５】
第２判断工程において、「図面」から抽出され第１２１領域Ａ１２１に記載されている符号が、「明細書」から抽出された符号の何れかと一致した場合には、制御部２は、第１２１領域Ａ１２１における該符号が記載された領域の右横に、「明細書」において該符号の前方に隣接した単語または文字列を記入する。符号が一致し、該符号に対応する単語または文字列が複数抽出された場合には、制御部２は、複数の符号と単語または文字列の組みあわせを総て列挙する。
【０１４６】
第２判断工程において、「図面」から抽出され第１２１領域Ａ１２１に記載されている符号が、「明細書」から抽出された符号と一致しない場合には、第１２１領域Ａ１２１における該符号が記載された領域の右側は空白のままにされる。
【０１４７】
従って、第７表示工程では、「図面」の中から抽出した符号と、「明細書」の中から抽出した符号と該符号の前方に隣接した単語または文字列との組みあわせとのマッチングが行われ、「図面」から抽出されたものが、「明細書」における「符号の説明」を除く領域から抽出されたものとがと一致する符号については、「図面」や「明細書」における「符号の説明」を除く領域から抽出された単語または文字列と抽出された単語または文字列に対応する符号との組みあわせを、一致しない符号については、「図面」から抽出された符号を、「明細書」の「符号の説明」に記載する内容を編集する画面（第１２画面Ｐ１２の第１２１領域Ａ１２１）上に表示する。
【０１４８】
これにより、「符号の説明」欄を作成する際に、「図面」と「明細書」に記載された内容に基づいて、「符号の説明」欄に記載すべき候補として符号と単語または文字列を列挙し、「符号の説明」の内容を記入する際の参考にすることが可能になる。また、第１２１領域Ａ１２１に列挙された内容を見ることにより、「図面」に記載された事項（符号）と、「明細書」に記載された事項「符号と単語または文字列」とが一致しているか否かを、認識することが出来、「図面」と「明細書」の内容を確認する手助けにすることが可能になる。
【０１４９】
例えば、図１６では、「１１」という符号が「図面」からは抽出されたが、「明細書」からは「１１」という符号を抽出できなかった状態を示している。これにより、「図面」に不要な符号「１１」を記載していたので削除すべきであるのか、若しくは、「明細書」に符号「１１」に対応する説明が足りなかったのかを知ることが可能になる。
【０１５０】
なお、ここでは、「図面」から符号を抽出した後に、「明細書」から符号と単語または文字列の組みあわせを抽出し、これらをマッチングする形態を説明したが、先に「明細書」から符号と単語または文字列の組みあわせを抽出し、その後、「図面」から符号を抽出し、これらをマッチングする形態であってもよい。
【０１５１】
総ての記載項目の入力が完了後、入力部１を使って所定の操作を行うと、制御部２は、記載された情報に基づいて、記載順序、段落番号の振り分けなど所定のフォーマットに沿った出願書類を作成し、表示部４への表示や、プリンタ５への印刷が可能な状態にする。このため、本実施形態における出願書類作成支援システムを使い、第１〜第１２画面Ｐ１〜Ｐ１２などの所定の表示画面を見ながら、「請求の範囲」など、出願書類の記載項目の具体的な内容に関する情報を入力することにより、出願書類のフォーマットに沿った出願書類を完成させることが出来る。
【０１５２】
このとき、特許出願または実用新案登録出願の出願書類の具体的な内容を入力する際に参考になる有益な情報として、例文ファイルから、任意の検索条件で抽出した段落を引用したり、「請求項」のツリー構造を図示したり、上位の「請求項」と下位の「請求項」との従属関係を確認する情報を表示したり、チェック対象の「請求項」で使用された単語の「発明を実施するための形態」（または「課題を解決するための手段」）の段落ごとの使用率（合致率）を表示したり、「符号の説明」に記載する内容の候補を「図面」や「明細書」に記載された内容から抽出したりすることも可能になる。
【０１５３】
なお、「発明を実施するための形態」など、出願書類における記載項目や、その記載順序は、法改正などにより変更される可能性があるが、その都度、出願書類作成支援プログラムを手直しすることで、記載項目などの変更に対処することが出来る。
【０１５４】
また、複数の記載項目が決まっている書類として、特許出願や実用新案登録出願の出願書類を例にして説明したが、裁判所に提出する書類（訴状、答弁書など）、及び学術論文など、フォーマットが決まっているものにも応用することが可能である。
【０１５５】
また、入力部１を使って「請求項の従属関係チェック」が選択された場合に、制御部２は、チェック対象の「請求項」と当該「請求項」と上方または下方に従属関係にある「請求項」において、所定の単語（以下、「所定抽出単語」とする）の使い方を確認する形態（第８抽出工程、第３判断工程、第８表示工程）を加えても良い。
【０１５６】
具体的には、チェック対象の「請求項」と当該「請求項」と従属関係にある「請求項」において、使用された単語の中から、所定抽出単語を抽出し（第８抽出工程）、第８抽出工程で抽出した所定抽出単語の後方に隣接する単語（以下、「後方隣接単語」が、その所定抽出単語よりも前方で使用されたか否かを判断し（第３判断工程）、使用されていない場合には、第６画面Ｐ６の第６１領域Ａ６１と第６２領域Ａ６２、若しくは第６４領域Ａ６５と第６６領域Ａ６６に、警告表示（ここでは、二重四角枠で単語を囲む）する（第８表示工程、図１７、図１８参照）。
【０１５７】
第６画面Ｐ６が表示された状態で、入力部１を使って、第６２領域Ａ６２に表示された単語がクリックされると、制御部２は、クリックされた単語が強調された状態で、現在第６１領域Ａ６１に表示されている「請求項」（ここでは、「請求項１」）の内容を表示する第４画面Ｐ４をアクティブにし、第６画面Ｐ６を非アクティブにする（図１９参照）。
【０１５８】
第６画面Ｐ６が表示された状態で、入力部１を使って、第６６領域Ａ６６に表示された単語がクリックされると、制御部２は、クリックされた単語が強調された状態で、現在第６３領域Ａ６３に表示されている「請求項」（ここでは、「請求項２」）の内容を表示する第４画面Ｐ４をアクティブにし、第６画面Ｐ６を非アクティブにする（不図示）。
【０１５９】
第８抽出工程においては、「前記」、「上述」、「前述」、「上記」など、後方隣接単語が、当該所定抽出単語の前方で既に一度以上記述されたことを示す語句が、所定抽出単語として、抽出される。
【０１６０】
第３判断工程においては、チェック対象の「請求項」における第８抽出工程で抽出した所定抽出単語よりも前方の領域、及びチェック対象の「請求項」の上位の請求項において、後方隣接単語と同じ語句があるか否かが判断される。
【０１６１】
所定抽出単語は、前方で既に一度以上記述されていることを示す単語であるため、「請求項」が正しく記載された場合は、第３判断工程で、後方隣接単語と同じ語句が見つかるはずである。但し、「請求項」が正しく記載されていない場合には、第３判断工程において、後方隣接単語と同じ語句が見つからないことが起こり得る。この場合には、第８表示工程で、警告表示を行い、使用者に確認を促す。
【０１６２】
なお、チェック対象の「請求項」に対する上位の請求項とは、当該請求項が従属請求項として扱われる上位の請求項である。チェック対象の「請求項」が請求項３であり、かかる請求項３において、「・・・請求項１または２に記載の○○装置。」と記載されている場合を例に挙げて説明する。
【０１６３】
請求項１と請求項２がいずれも独立請求項である場合には、第３判断工程においては、請求項３における所定抽出単語よりも前方の領域と請求項１に、後方隣接単語と同じ語句があるか否かの判断と、請求項３における所定抽出単語よりも前方の領域と請求項２に、後方隣接単語と同じ語句があるか否かの判断が行われる。
【０１６４】
請求項１が独立請求項であり、請求項２が請求項１の従属請求項である場合には、第３判断工程においては、請求項３における所定抽出単語よりも前方の領域と請求項１に、後方隣接単語と同じ語句があるか否かの判断と、請求項３における所定抽出単語よりも前方の領域と請求項１と請求項２に、後方隣接単語と同じ語句があるか否かの判断が行われる。
【０１６５】
図１７、図１８は、かかる警告表示の例を示す。チェック対象の「請求項」（ここでは、請求項１）において、本来「表示部」と書くべきであるにもかかわらず、「前記表示部」と記載してしまった場合には、第６１領域Ａ６１における所定抽出単語「前記」と、当該所定抽出単語の後方に隣接する後方隣接単語「表示部」とが強調された警告表示が行われ、第６２領域Ａ６２における後方隣接単語「表示部」が強調された警告表示が行われる（図１７参照）。
【０１６６】
チェック対象の「請求項」の従属請求項（ここでは、請求項２）において、本来「前記表示部」と書くべきであるにもかかわらず、「前記表示装置」と記載してしまった場合には、第６５領域Ａ６５における所定抽出単語「前記」と、当該所定抽出単語の後方に隣接する後方隣接単語「表示装置」とが強調された警告表示が行われ、第６６領域Ａ６６における後方隣接単語「表示装置」が強調された警告表示が行われる（図１８参照）。
【０１６７】
使用者は、第６画面Ｐ６の第６１領域Ａ６１などに警告表示された単語（所定抽出単語、後方隣接単語）、若しくは第４画面Ｐ４の第４３領域Ａ４３に強調表示（警告表示でもよい）された単語（後方隣接単語）を確認することにより、所定抽出単語の使い方に誤りがないかどうかを容易に判断することが可能になる。特に、四角枠を使った第３表示工程などにおける強調表示と表示方法を変えることにより、識別も容易にできる。
【０１６８】
また、第８抽出工程、第３判断工程、及び第８表示工程を行う対象は、出願書類における「請求の範囲」だけでなく、手続補正書における「請求の範囲」であってもよい。
【符号の説明】
【０１６９】
１  入力部
２  制御部
３  記録部
４  表示部
５  プリンタ
Ａ１〜Ａ１２  第１〜第１２領域（第１画面）
Ａ２０〜Ａ３３  第２０〜第３３領域（第２画面、第３画面）
Ａ４０〜Ａ４８  第４０〜第４８領域（第４画面）
Ａ６０〜Ａ７０  第６０〜第７０領域（第６画面）
Ａ７１〜Ａ７８  第７１〜第７８領域（第７画面）
Ａ８０〜Ａ８５  第８０〜第８５領域（第８画面）
Ａ９０〜Ａ９９  第９０〜第９９領域（第９画面）
Ａ１００〜Ａ１０５  第１００〜第１０５領域（第１０画面、第１２画面）
Ａ１１１〜Ａ１１６  第１１１〜第１１６領域（第１１画面）
Ａ１２１〜Ａ１２４  第１２１〜第１２４領域（第１２画面）
Ｐ１〜Ｐ１２  第１〜第１２画面
【図１】
2012048696.tif 000003
【図２】
2012048696.tif 000004
【図３】
2012048696.tif 000005
【図４】
2012048696.tif 000006
【図５】
2012048696.tif 000007
【図６】
2012048696.tif 000008
【図７】
2012048696.tif 000009
【図８】
2012048696.tif 000010
【図９】
2012048696.tif 000011
【図１０】
2012048696.tif 000012
【図１１】
2012048696.tif 000013
【図１２】
2012048696.tif 000014
【図１３】
2012048696.tif 000015
【図１４】
2012048696.tif 000016
【図１５】
2012048696.tif 000017
【図１６】
2012048696.tif 000018
【図１７】
2012048696.tif 000019
【図１８】
2012048696.tif 000020
【図１９】
2012048696.tif 000021
【図２０】
2012048696.tif 000022